(57)【要約】【課題】圧電トランス高圧電源装置を有する画像形成装置において、共振周波数を越えた際に起こる高圧出力電圧低下から引き起こされる転写材へのトナーの大量付着を検知して、本体動作を緊急停止する機構を設けることで、定着手段にダメージが与えられることを未然に防ぐことを可能とする画像形成装置を提供する。【解決手段】圧電トランス、圧電トランス駆動手段、圧電トランス周波数制御手段、出力電圧検出手段、出力電圧設定手段、及び出力電圧検出手段からの信号ならびに出力電圧設定手段からの信号により出力電圧を制御する出力制御手段と、静電吸着搬送ベルト若しくは中間転写体上に配置される表面反射率測定用の光センサから成り、静電吸着搬送ベルト若しくは中間転写体上の印字領域外の表面反射率を測定して、トナー像を検出した際には本体を緊急停止して、ユーザに異常を報告する機構を有する構成とする。【選択図】        図１
2007047557.tif 000002
【特許請求の範囲】
【請求項１】
像担持体上に静電潜像を形成する潜像形成手段、静電潜像にトナー像を形成する現像手段、トナー像を転写材に転写する転写手段、トナー像を転写された被転写部材にトナーを加熱定着させる定着手段、転写材をベルト状の部材に静電吸着することで現像手段から定着手段まで搬送する搬送手段、を備える画像形成装置において、
圧電トランス、圧電トランス駆動周波数の発生手段、出力電圧設定手段、出力電圧検出手段、及び出力電圧検出手段からの信号ならびに出力電圧設定手段からの出力電圧設定信号により出力電圧を比較制御する出力制御手段から成り、前記出力電圧設定手段の設定値に従って圧電トランス駆動周波数を制御可能な圧電トランス式高圧電源装置を具備し、
前記搬送手段の表面反射率を測定する反射率計測手段を具備し、
前記搬送手段の前記転写材が静電吸着されない領域の表面反射率を前記反射率計測手段で測定する測定シーケンスを具備し、
前記測定シーケンスの結果に応じて画像形成装置の動作を停止する緊急停止手段を具備し、
前記緊急停止手段よる緊急停止が行われたことをユーザに報告する報告手段を具備していることを特徴とする画像形成装置。
【請求項２】
像担持体上に静電潜像を形成する潜像形成手段、静電潜像にトナー像を形成する現像手段、前記像担持体上に現像された画像を多重転写する為の中間転写体と多重転写手段、前記中間転写体上のトナー像を転写材に転写する転写手段、トナー像を転写された被転写部材にトナーを加熱定着させる定着手段、を備える画像形成装置において、
圧電トランス、圧電トランス駆動周波数の発生手段、出力電圧設定手段、出力電圧検出手段、及び出力電圧検出手段からの信号ならびに出力電圧設定手段からの出力電圧設定信号により出力電圧を比較制御する出力制御手段から成り、前記出力電圧設定手段の設定値に従って圧電トランス駆動周波数を制御可能な圧電トランス式高圧電源装置を具備し、
前記中間転写体の表面反射率を測定する反射率計測手段を具備し、
前記中間転写体の画像が転写されない領域の表面反射率を前記反射率計測手段で測定する測定シーケンスを具備し、
前記測定シーケンスの結果に応じて画像形成装置の動作を停止する緊急停止手段を具備し、
前記緊急停止手段よる緊急停止が行われたことをユーザに報告する報告手段を具備していることを特徴とする画像形成装置。
【請求項３】
前記反射率計測手段は光センサであることを特徴とする請求項１または２に記載の画像形成装置。
【発明の詳細な説明】
【技術分野】
【０００１】
本発明は、電子写真プロセスを用いた画像形成装置に関し、特には画像形成装置に用いる圧電トランス式高圧電源の誤動作検出装置に関するものである。
【背景技術】
【０００２】
従来から知られている電子写真方式の画像形成装置において、感光体に転写部材を当接させて転写を行う直接転写方式を採る場合、転写部材には導電体の軸を持つローラ状の導電性ゴムを用い、感光体のプロセススピードに合わせ回転駆動させている。そして、転写部材に印加する電圧として、直流バイアス電圧を用いている。この時、直流バイアス電圧の極性は、通常のコロナ放電式の転写電圧と同じ極性である。しかし、こういった転写ローラを用いて良好な転写を行うためには、通常３ｋＶ以上の電圧（所要電流は数μＡ）を転写ローラに印加する必要があった。
【０００３】
上述したような画像形成処理に必要とされる高電圧を生成するために、従来は巻線式の電磁トランスを使用していた。しかし、電磁トランスは、銅線，ボビン，磁芯で構成されており、上記のような仕様に用いる場合は、出力電流値が数μＡという微小な電流のために各部に於いて漏れ電流を最大限少なくしなければならなかった。そのため、トランスの巻線を絶縁物によりモールドする必要が有り、しかも供給電力に比較して大きなトランスを必要としたため、高圧電源装置の小型化・軽量化の妨げとなっていた。
【０００４】
そこで、これらの欠点を補うために、薄型で軽量の高出力の圧電トランスを用いて高電圧を発生させることが検討されている。すなわち、セラミックを素材とした圧電トランスを用いることにより、電磁トランス以上の効率で高電圧を生成する事が可能となり、しかも、一次側および二次側間の結合に関係なく一次側と二次側の電極間の距離を離す事が可能となるので特別に絶縁の為にモールド加工する必要がないため、高圧発生装置を小型・軽量にできるという優れた特性が得られている。
【０００５】
圧電トランス式高圧電源の従来例を図１を用いて説明する。ここに示す回路は高圧電源であり、１０１は高圧電源の圧電トランス（圧電セラミックトランス）である。圧電トランス１０１の出力はダイオード１０２、１０３及び高圧コンデンサ１０４によって正電圧に整流平滑され負荷である転写ローラ（不図示）に供給される。出力電圧検出手段として、出力電圧は抵抗１０５、１０６、１０７によって分圧され、保護用抵抗１０８を介してオペアンプ１０９の非反転入力端子（＋端子）に入力される。ここで抵抗１０５、１０６、１０７とコンデンサ１１５を図１のように構成することにより、フィルタ回路として機能しており、抵抗とコンデンサの部品定数によって決まる回路時定数により出力電圧検出信号Ｖｓｎｓがオペアンプ１０９に入力される。
【０００６】
他方、出力電圧設定手段として、オペアンプの反転入力端子（−端子）には抵抗１１４を介してＤＣコントローラ２０１からアナログ信号である高圧電源の出力電圧設定信号Ｖｃｏｎｔが入力される。ここでオペアンプ１０９と抵抗１１４とコンデンサ１１３を図１のように構成することにより、積分回路として機能しており、抵抗とコンデンサの部品定数によって決まる積分時定数により出力電圧設定信号Ｖｃｏｎｔがオペアンプ１０９に入力される。また、オペアンプ１０９の出力端は電圧制御発振器（ＶＣＯ）１１０に接続され、その出力端がインダクタ１１２に接続されたトランジスタ１１１を駆動することで、圧電トランスの一次側に電源を供給する。
【０００７】
また、圧電トランスの特性は一般的に図３に示すような共振周波数ｆ０において出力電圧が最大となるような裾広がりな形状をしており、周波数による出力電圧の制御が可能である。圧電トランスの出力電圧を増加させる場合は、駆動周波数を高い方から低い方へ変化させることで可能となる。
【特許文献１】特開平１１−２０６１１３号公報
【発明の開示】
【発明が解決しようとする課題】
【０００８】
上記従来例において、出力電圧設定信号Ｖｃｏｎｔにより出力電圧の立上げ、或いは立下げを行う場合、出力電圧設定信号Ｖｃｏｎｔと出力電圧検出信号Ｖｓｎｓの比較を行い、その結果の電圧値が電圧制御発振器（ＶＣＯ）１１０に入力され、周波数変換され、その周波数を用いて圧電トランスが駆動される。このとき、回路発振することなく電圧制御発振器（ＶＣＯ）１１０を制御することが圧電トランス式高圧電源に求められている。しかし、電力供給が不安定な地域において、瞬間的な停電や商用電源電圧の一時低下が発生した場合、下記に示すような問題が発生する。
【０００９】
図４を用いて瞬間的な停電や商用電源電圧の一時低下が引き起こす不具合について説明する。商用電源電圧の一時低下により、低圧電源装置の生成するＤＣ電圧が一時的に低下して、その結果として高圧出力Ｖｏｕｔが一時低下を招くことになる。ＭＰＵが瞬間的な停電を検知出来れば自身にリセットがかかり初期立上げシーケンスに移行するが、検知出来なかった場合には出力電圧設定信号Ｖｃｏｎｔがそのまま継続して送出されることになり、比較回路２０３は一時的な高圧出力電圧低下にもかかわらず駆動周波数を落として出力電圧を回復させようと制御を行う。その結果、共振周波数ｆ０を乗り越えて周波数を低下させることになる。その後、商用電源電圧が通常レベルに復帰しても、共振周波数ｆ０を乗り越えている為高圧出力Ｖｏｕｔを制御出来なくなり、目標値よりも低い高圧電圧を出力してしまうことになる。
【００１０】
この現象が像担持体の帯電電圧を制御する高圧電源装置で発生すると、像担持体上に形成された潜像画像以外の部分、即ち像担持体全面にトナーが大量に付着してしまう。その大量のトナーが転写材に転写され、定着手段に運ばれることになる。定着手段内の加熱ヒータから供給される熱量ではその大量のトナーを溶融しきれず、中途半端に熱を与えられて半融解したトナーが粘着力を有した状態で加圧ローラと転写材を接着して巻き付きジャムを発生させて、定着手段に深刻なダメージを与えるトラブルを引き起こすことが懸念される。
【００１１】
本発明は上記課題を解決するものであり、その目的は、転写材へのトナーの大量付着を検知して、本体動作を緊急停止する機構を設けることで、定着手段にダメージが与えられることを未然に防ぐことを可能とする画像形成装置を提供することにある。
【課題を解決するための手段】
【００１２】
請求項１に記載の発明は、像担持体上に静電潜像を形成する潜像形成手段、静電潜像にトナー像を形成する現像手段、トナー像を転写材に転写する転写手段、トナー像を転写された被転写部材にトナーを加熱定着させる定着手段、転写材をベルト状の部材に静電吸着することで現像手段から定着手段まで搬送する搬送手段を備える画像形成装置において、
圧電トランス、圧電トランス駆動周波数の発生手段、出力電圧設定手段、出力電圧検出手段、及び出力電圧検出手段からの信号ならびに出力電圧設定手段からの出力電圧設定信号により出力電圧を比較制御する出力制御手段から成り、前記出力電圧設定手段の設定値に従って圧電トランス駆動周波数を制御可能な圧電トランス式高圧電源装置を具備し、
前記搬送手段の表面反射率を測定する反射率計測手段を具備し、
前記搬送手段の前記転写材が静電吸着されない領域の表面反射率を前記反射率計測手段で測定する測定シーケンスを具備し、
前記測定シーケンスの結果に応じて画像形成装置の動作を停止する緊急停止手段を具備し、
前記緊急停止手段よる緊急停止が行われたことをユーザに報告する報告手段を具備していることを特徴とする。
【００１３】
請求項２に記載の発明は、像担持体上に静電潜像を形成する潜像形成手段、静電潜像にトナー像を形成する現像手段、前記像担持体上に現像された画像を多重転写する為の中間転写体と多重転写手段、前記中間転写体上のトナー像を転写材に転写する転写手段、トナー像を転写された被転写部材にトナーを加熱定着させる定着手段、を備える画像形成装置において、
圧電トランス、圧電トランス駆動周波数の発生手段、出力電圧設定手段、出力電圧検出手段、及び出力電圧検出手段からの信号ならびに出力電圧設定手段からの出力電圧設定信号により出力電圧を比較制御する出力制御手段から成り、前記出力電圧設定手段の設定値に従って圧電トランス駆動周波数を制御可能な圧電トランス式高圧電源装置を具備し、
前記中間転写体の表面反射率を測定する反射率計測手段を具備し、
前記中間転写体の画像が転写されない領域の表面反射率を前記反射率計測手段で測定する測定シーケンスを具備し、
前記測定シーケンスの結果に応じて画像形成装置の動作を停止する緊急停止手段を具備し、
前記緊急停止手段よる緊急停止が行われたことをユーザに報告する報告手段を具備していることを特徴とする。
【００１４】
請求項３に記載の発明は、請求項１または２に記載の反射率計測手段は光センサであることを特徴とする。
【発明の効果】
【００１５】
本出願に係る発明によれば、安価で簡単な転写材へのトナーの大量付着を検知可能な機構と本体動作を緊急停止する機構を設けることで、定着手段にダメージが与えられることを未然に防ぐことを可能とする。
【発明を実施するための最良の形態】
【００１６】
以下本発明を実施するための最良の形態を、実施例により詳しく説明する。
【実施例１】
【００１７】
以下、本発明の一実施例を図面に基づいて説明する。
【００１８】
図２は本実施例のカラーレーザプリンタの構成図である。レーザプリンタ４０１は記録紙３２を収納するデッキ４０２を有し、デッキ４０２内の記録紙３２の有無を検知するデッキ紙有無センサ４０３、デッキ４０１から記録紙３２を繰り出すピックアップローラ４０４、前記ピックアップローラ４０４によって繰り出された記録紙３２を搬送するデッキ給紙ローラ４０５、前記デッキ給紙ローラ４０５と対をなし、記録紙３２の重送を防止するためのリタードローラ４０６が設けられている。そして、デッキ給紙ローラ４０５の下流には記録紙３２を同期搬送するレジストローラ対４０７、前記レジストローラ対への記録紙３２の搬送状態を検知するレジ前センサ４０８が配設されている。
【００１９】
また、レジストローラ対４０７の下流には静電吸着搬送転写ベルト（以下ＥＴＢと記す）４０９が配設されており、前記ＥＴＢ上には後述する４色（イエローＹ、マゼンタＭ、シアンＣ、ブラックＢ）分のプロセスカートリッジ４１０Ｙ、４１０Ｍ、４１０Ｃ、４１０Ｂとスキャナーユニット４２０Ｙ、４２０Ｍ、４２０Ｃ、４２０Ｂからなる画像形成部によって形成された画像が転写ローラ４３０Ｙ、４３０Ｍ、４３０Ｃ、４３０Ｂによって順次重ね合わされてゆくことによりカラー画像が形成され記録紙３２上に転写搬送される。
【００２０】
また、前記ＥＴＢ上には各色ごとの色ズレ及び濃度を検出する為の光学センサ４５０が配設されている。さらに下流には記録紙３２上に転写されたトナー像を熱定着するために内部に加熱用のヒータ４３２を備えた定着ローラ４３３と加圧ローラ４３４対、定着ローラからの記録紙３２を搬送するための、定着排紙ローラ対４３５、定着部からの搬送状態を検知する定着排紙センサ４３６が配設されている。
【００２１】
また、前記各スキャナ部４２０には、後述するビデオコントローラ４４０から送出される各画像信号に基づいて変調されたレーザ光を発光するレーザユニット４２１、各レーザユニット４２１からのレーザ光を各感光ドラム３０５上に走査するためのポリゴンミラー４２２とスキャナモータ４２３、結像レンズ群４２４より構成されている。そして、前記各プロセスカートリッジ４１０には公知の電子写真プロセスに必要な感光ドラム３０５、帯電ローラ３０３と現像ローラ３０２、トナー格納容器４１１を具備しており、レーザプリンタ４０１に対して着脱可能に構成されている。
【００２２】
さらに、前記ビデオコントローラ４４０はパーソナルコンピュータ等の外部装置４４１から送出される画像データを受け取ると前記画像データをビットマップデータに展開し、画像形成用の画像信号を生成する。また、２０１はレーザプリンタの制御部であるＤＣコントローラであり、ＲＡＭ２０７ａ、ＲＯＭ２０７ｂ、タイマ２０７ｃ、デジタル入出力ポート２０７ｄ、Ｄ／Ａポート２０７ｅ、Ａ／Ｄポート２０７ｆを具備したＭＰＵ（マイクロコンピュータ）２０７、及び各種入出力制御回路（不図示）等で構成されている。さらに、２０２は高圧電源部であり、各プロセスカートリッジに対応した帯電高圧電源（不図示）、現像高圧電源（不図示）と、各転写ローラ４３０に対応した高圧を出力可能な圧電トランスを使用した転写高圧電源とで構成されている。
【００２３】
次に本実施例の圧電トランス式高圧電源構成を図１０のブロック図に基づいて説明する。なお、本発明に係わる高圧電源構成は、正電圧、負電圧どちらの出力回路に対しても有効であるため、ここでは代表的に正電圧を必要とする転写高圧電源について説明を行う。また、転写高圧電源は各転写ローラ４３０Ｙ、４３０Ｍ、４３０Ｃ、４３０Ｂに対応し、４回路設けられているが、回路構成は各回路とも同じであるため、図１０では１回路のみの説明を行う。
【００２４】
制御ユニットであるＤＣコントローラ２０１に搭載されたＭＰＵ（マイクロコンピュータ）２０７から出力電圧設定信号Ｖｃｏｎｔが出力され、高圧電源２０２上に設けられたオペアンプ等により構成される積分回路（比較回路）２０３に入力される。入力電圧は電圧制御発振回路（ＶＣＯ）１１０を介して周波数に変換され、その周波数によりスイッチング回路２０４が駆動される。これにより、圧電トランス（圧電セラミックトランス）１０１は動作し、素子の周波数特性及び昇圧比に応じた電圧を出力する。トランス出力は整流回路２０５により正電圧に整流平滑され、高圧出力Ｖｏｕｔ２０８にて負荷である転写ローラ（不図示）に高電圧が供給される。一方、整流後の電圧はフィードバック回路２０６を介して比較回路２０３に帰還され出力電圧検出信号Ｖｓｎｓが出力電圧設定信号Ｖｃｏｎｔと同電位になるように制御が行われる。
【００２５】
次に、図１を用いて実際の圧電トランス式高圧電源回路について説明する。出力電圧設定手段として、オペアンプの反転入力端子（−端子）には直列抵抗１１４とコンデンサ１１３を介してＤＣコントローラ２０１から高圧電源の設定信号Ｖｃｏｎｔが入力される。他方、出力電圧検出手段として、出力電圧は抵抗１０５、１０６、１０７によって分圧され、コンデンサ１１５及び保護用抵抗１０８を介してオペアンプ１０９の非反転入力端子（＋端子）に出力電圧検出信号Ｖｓｎｓが入力される。オペアンプ１０９の出力端は電圧制御発振器（ＶＣＯ）１１０に接続され、この電圧制御発振器１１０の出力端はトランジスタ１１１のベースに接続される。トランジスタ１１１のコレクタはインダクタ１１２を介して電源（＋２４Ｖ）に接続されていると同時に、圧電トランスの一次側の電極の一方に接続される。圧電トランス１０１の出力はダイオード１０２、１０３及び高圧コンデンサ１０４によって正電圧に整流平滑され負荷である転写ローラ（不図示）に供給される。
【００２６】
ここで、圧電トランス１０１の駆動周波数に対する出力電圧の特性を図３に示す。同図に示すように、共振周波数ｆ０において出力電圧が最大となり、周波数による出力電圧の制御が可能であることが判る。なお、規定出力電圧Ｅｄｃ出力時の駆動周波数をｆｘとする。また、電圧制御発振器（ＶＣＯ）１１０は入力電圧が上がると出力周波数は上がり、入力電圧が下がると出力周波数は下がるような動作を行うものとする。この条件において、圧電トランス１０１の出力電圧Ｅｄｃが上がると、抵抗１０５を介してオペアンプ１０９の非反転入力端子（＋端子）の入力電圧Ｖｓｎｓも上がり、オペアンプ１０９の出力端子の電圧は上がる。つまり、電圧制御発振器１１０の入力電圧が上がるので、圧電トランス１０１の駆動周波数も上がる。従って、圧電トランス１０１は駆動周波数ｆｘより少し高い周波数で駆動され、この駆動周波数が上がることにより圧電トランス１０１の出力電圧は下がる。その結果、出力電圧を下げる方向に制御を行われることとなる。すなわち、この回路は負帰還制御回路を構成している。
【００２７】
一方、出力電圧Ｅｄｃが下がると、オペアンプ１０９の入力電圧Ｖｓｎｓも下がり、オペアンプ１０９の出力端子の電圧は下がる。つまり、電圧制御発振器１１０の出力周波数が下がるので、圧電トランス１０１は出力電圧を上げる方向に制御が行われることとなる。このように、オペアンプ１０９の反転入力端子（−端子）に入力されるＤＣコントローラ２０１からの出力電圧設定信号Ｖｃｏｎｔの電圧（設定電圧：以下、この設定電圧もＶｃｏｎｔで表す）で決定される電圧に等しくなるよう、出力電圧が定電圧制御される。
【００２８】
ここで、商用電源電圧が何らかの要因で一時的に低下して、共振周波数ｆ０における最大出力電圧値が目標電圧値Ｖｃｏｎｔを下回る場合、負帰還回路の働きで出力電圧を上げる為に駆動周波数が下がっていく。しかしながら、目標電圧値Ｖｃｏｎｔには届かない為に共振周波数ｆ０を越えても駆動周波数は下がり続けてしまう。商用電源電圧が正常な値に復帰した場合に既に共振周波数ｆ０を越えていたならば制御不能状態となる。このとき、出力電圧値は目標電圧値Ｖｃｏｎｔよりも大幅に低い値となる。この現象が像担持体の帯電電圧を制御する高圧電源装置で発生すると、像担持体上に形成された潜像画像以外の部分、即ち像担持体全面にトナーが大量に付着してしまい、いわゆるベタ画像が印字されてしまう。
【００２９】
本実施例の特徴である、光センサを用いて異常画像を検知することで印字動作を緊急停止して定着器へのダメージを未然に防ぐシーケンスを図５で説明する。
【００３０】
印字動作が開始されると（Ｓ１０１）、記録紙がＥＴＢ上に吸着搬送されることになるが、連続印字を行う際には記録紙が重ならないように若干の隙間（以降、紙間と略す）を空けて搬送されるのが一般的である。高圧電源装置が何らかの理由で制御不能状態に陥り、ベタ画像を出力した場合に、この紙間にトナーが残留する。色ズレ・濃度測定用光学センサ４５０の測定範囲内にこの紙間領域が運ばれてくるタイミングで、光学センサ４５０の光源を点灯してＥＴＢ表面反射率の測定を行う（Ｓ１０２）。この反射率が正常な範囲内にあるか判断する（Ｓ１０３）。このとき異常な反射率の値を示していれば、印字動作を中断してユーザにエラーを報告する（Ｓ１０４）。正常な反射率を示していれば、印字動作を続行する。先ほど印字したページが最終ページか判断して（Ｓ１０５）、最終ページでなければ、再度紙間の反射率測定を行う。最終ページであれば印字動作を終了する（Ｓ１０６）。
【実施例２】
【００３１】
本実施例２では、上述の実施例１の構成とは異なる構成で異常画像を検知可能とする光センサを図６を参照して説明する。なお、実施例１と同様の構成に関しては、その説明を省略する。
【００３２】
本実施例と実施例１との主たる相違点は、異常画像検知専用の光センサ４５１をＥＴＢの端部に配置する構成としたことである。正常な印字動作時が行われていれば記録紙の左右両端には数ｍｍの余白が存在する。しかしながら、高圧電源装置が何らかの理由で制御不能状態に陥り、ベタ画像を出力した場合には余白領域は確保されずにＥＴＢ表面全体にトナーが転写される。よって、ＥＴＢ表面反射率の測定箇所を紙間に限定せずとも、誤動作を検知可能な構成となっている。
【００３３】
本実施例の特徴である、ＥＴＢの端部に配置した光センサを用いて異常画像を検知することで印字動作を緊急停止して定着器へのダメージを未然に防ぐシーケンスを図７で説明する。
【００３４】
印字動作が開始されると（Ｓ２０１）、同時に光センサがＥＴＢ端部の表面反射率測定を開始する（Ｓ２０２）。高圧電源装置が何らかの理由で制御不能状態に陥り、ベタ画像を出力した場合に、正常時には余白領域となるこの端部にトナーが転写されて、反射率が通常時とは異なる値を示すようになる。この反射率が正常な範囲内にあるか判断する（Ｓ２０３）。このとき異常な反射率の値を示していれば、印字動作を中断してユーザにエラーを報告する（Ｓ２０４）。正常な反射率を示していれば、印字動作を続行する。先ほど印字したページが最終ページか判断して（Ｓ２０５）、最終ページを印字し終えて印字動作が終了したならば、光センサの光源を消灯する（Ｓ２０６）。
【実施例３】
【００３５】
本実施例３では、上述の実施例１と異なる構成を有する画像形成装置を図８を参照して説明する。なお、実施例１と同様の構成に関しては、その説明を省略する。本実施例と実施例１との主たる相違点は、中間転写体を用いた構成としたことである。
【００３６】
本実施例ではレジストローラ対４０７の下流に中間転写ベルト４６０（以下ＩＴＢ）が配設されており、前記ＩＴＢ上には後述する４色（イエローＹ、マゼンタＭ、シアンＣ、ブラックＢ）分のプロセスカートリッジ４１０Ｙ、４１０Ｍ、４１０Ｃ、４１０Ｂとスキャナーユニット４２０Ｙ、４２０Ｍ、４２０Ｃ、４２０Ｂからなる画像形成部によって形成された画像が転写ローラ４３０Ｙ、４３０Ｍ、４３０Ｃ、４３０Ｂによって順次重ね合わされてゆくことにより、ＩＴＢ４６０上にカラー画像が形成される。そのカラー画像が２次転写ローラ４６１によってレジストローラ対４０７より搬送される記録紙に一括転写されることで、記録紙上にカラー画像が形成されることになる。
【００３７】
本実施例の特徴である、光センサを用いて異常画像を検知することで印字動作を緊急停止して定着器へのダメージを未然に防ぐシーケンスを図９で説明する。
【００３８】
印字動作が開始されると（Ｓ３０１）、各色像担持体よりＩＴＢ上にカラー画像が多重転写される。カラー画像の形成に合わせて記録紙が搬送されてくるが、連続印字を行う際には記録紙が重ならないように若干の隙間（以降、紙間と略す）を空けて搬送されるのが一般的である。それに合わせて、ＩＴＢ上に形成されるカラー画像にも紙間に合わせた空白領域が存在する。高圧電源装置が何らかの理由で制御不能状態に陥り、ベタ画像を出力した場合には、このＩＴＢ上の紙間部分にもトナーが転写されることになる。色ズレ・濃度測定用光学センサ４５０の測定範囲内にこの紙間領域が運ばれてくるタイミングで、光学センサ４５０の光源を点灯してＥＴＢ表面反射率の測定を行う（Ｓ３０２）。この反射率が正常な範囲内にあるか判断する（Ｓ３０３）。このとき異常な反射率の値を示していれば、印字動作を中断してユーザにエラーを報告する（Ｓ３０４）。正常な反射率を示していれば、印字動作を続行する。先ほど印字したページが最終ページか判断して（Ｓ３０５）、最終ページでなければ、再度紙間の反射率測定を行う。最終ページであれば印字動作を終了する（Ｓ３０６）。
【図面の簡単な説明】
【００３９】
【図１】本発明の実施例１及従来例に係る、圧電トランス高圧電源の回路図である。
【図２】本発明の実施例１に係る、カラーレーザプリンタの構成図である。
【図３】圧電トランスの駆動周波数に対する出力電圧の特性を表す図である。
【図４】圧電トランス高圧電源の商用電源電圧低下時の出力電圧の特性を表す図である。
【図５】実施例１に係る、圧電トランス高圧電源の誤動作検知シーケンスを表した図である。
【図６】実施例２に係る、カラーレーザプリンタの構成図である。
【図７】実施例２に係る、圧電トランス高圧電源の誤動作検知シーケンスを表した図である。
【図８】実施例３に係る、カラーレーザプリンタの構成図である。
【図９】実施例３に係る、圧電トランス高圧電源の誤動作検知シーケンスを表した図である。
【図１０】実施例１に係る、圧電トランス高圧電源のブロック図である。
【符号の説明】
【００４０】
１０１    圧電トランス
１０５，１０６，１０７，１０８，１１４    抵抗
１１３，１１４    コンデンサ
１０８    保護用抵抗
１０９    オペアンプ
１１０    電圧制御発振器（ＶＣＯ）
２０１    ＤＣコントローラ
２０２    高圧電源（圧電トランス式高圧電源装置）
２０７    ＭＰＵ（マイクロプロセッサ）
４０１    カラーレーザプリンタ（画像形成装置）
【図１】
2007047557.tif 000003
【図２】
2007047557.tif 000004
【図３】
2007047557.tif 000005
【図４】
2007047557.tif 000006
【図５】
2007047557.tif 000007
【図６】
2007047557.tif 000008
【図７】
2007047557.tif 000009
【図８】
2007047557.tif 000010
【図９】
2007047557.tif 000011
【図１０】
2007047557.tif 000012